(57)【特許請求の範囲】
【請求項１】
少なくとも一部分が誘電材料で作られている、１つの密閉されたチャンバを構成するハウジングと、
誘電性の前記ハウジングの一部分にしっかりと固定され、このハウジングの一部分を通って前記密閉されたチャンバ内へと延び、互いに向かって延びて平坦な接触表面で終結する内側部分を有する、一対の間隔を置いた固定接点と、
前記密閉されたチャンバ内で前記ハウジング上に取りつけられ、端子末端部を持つアーマチュアシャフトと、この端子末端部に隣接して前記アーマチュアシャフトに接続された可動接点とを持ち、前記可動接点が前記固定接点から間隔を置いた第１の位置と、前記固定接点と前記可動接点との間に導電性経路を完成させるべく前記固定接点に対し前記可動接点が位置決めされている第２の位置との間で移動可能である電磁的に起動されるアーマチュアアセンブリであって、前記第２の位置から前記第１の位置までの走行が開始されるときに、衝撃接触破断力を提供するべく前記第２の位置において前記可動接点を超えて超過走行するように前記端子末端部が配置されているアーマチュアアセンブリと、
それぞれの固定接点の前記平坦な接触表面に隣接して前記ハウジングの向かい合っている外部側面に対し、しっかりと固定され、間に延びる中央平面の相対する側にあり、この中央平面から実質的に等距離に間隔を置き、前記固定接点が前記中央平面の相対する側でオフセットされている一対の平行で間隔を置いた永久磁石と、
を備え、
前記可動接点が、前記固定接点の前記平坦な接触表面を囲む円に実質的に等しい直径を持つ可動接点ディスクであり、
前記可動接点ディスクが、前記固定接点に対して１つの動作から次の動作まで確実に回転することにより、接触器寿命にわたって接触抵抗を低く保つようにし、
前記一対の永久磁石を、前記各固定接点からのアークを互いに遠ざかる向きに向けて、電流が前記固定接点を通っていずれかの方向にも流れるように、配置して成る密閉型リレー。
【請求項２】
前記ハウジングの磁石取り付け用外部側面が平坦である、請求項１に記載の密閉型リレー。
【請求項３】
前記密閉されたチャンバが高真空まで排気されている、請求項２に記載の密閉型リレー。
【請求項４】
前記密閉されたチャンバに絶縁用気体が充てんされる、請求項２に記載の密閉型リレー。
【請求項５】
前記絶縁用気体が水素と窒素の混合物である、請求項４に記載の密閉型リレー。
【請求項６】
各前記固定接点に、前記平坦な接触表面から間隔を置いた絶縁リングがしっかりと固定されている、請求項１に記載の密閉型リレー。
【請求項７】
前記固定接点の前記平坦な接触表面が円形である、請求項１に記載の密閉型リレー。
【請求項８】
前記ハウジングの磁石取り付け用外部側面が平坦であり、前記密閉されたチャンバに絶縁用気体が充てんされている、請求項７に記載の密閉型リレー。
【請求項９】
前記アーマチュアアセンブリの全ての可動構成部分が前記密閉されたチャンバ内に納められている、請求項８に記載の密閉型リレー。
【請求項１０】
各前記固定接点（５６）の本体が円筒形であるが、前記各固定接点の内側端部が、前記可動接点ディスク（６６）とかみ合う円形の平坦な接点表面を画定するように、内向きにテーパを付けられている請求項１に記載の密閉型リレー。
【発明の詳細な説明】
関連出願に対するクロスリファレンス
本出願は、１９９１年３月２８に出願された第０７／６７６，９７４号の継続出願である１９９２年６月１８日に出願された第０７／９００，５５３号の継続出願である１９９３年１月２８日に出願された第０８／０１０，４９６号の継続出願である１９９３年１０月２０日に出願された出願第０８／１４０，２７５号の一部継続出願である。
本発明の背景及び設計事項
電磁石の原理に基づいて動作する電気リレー装置は、多くの電気回路関連の用途において周知の広く用いられるコンポーネントである。本発明のリレー装置は、直流接触器型のリレー装置である。この種のリレー装置は、通常ＤＣ２７０ボルトレンジの電圧がかかる高電圧／高電流条件下で使用することができる。リレーをこのような高圧で使用することに付随する主要な問題の１つは、それらのリレーが、通常、正常動作電流２５〜１０００アンペアの「活線開閉」（ｈｏｔ  ｓｗｉｔｃｈｉｎｇ）（負荷時開閉、アーク放電を引き起こす）環境で使用されるということである。また、リレーは、１００〜２５００アンペアの過負荷遮断容量を有するものがあるということ、及び５．０〜０．１ミリオームのオーダーの低い接触抵抗を維持することができるようになっているということも知られている。
直流接触器型のリレーは、直流信号には、通電時にリレー接点が離れることにより生じるアークを遮断するよう作用する電流ゼロ点がないため、「活線開閉」環境においては（交流信号の場合と比べて）問題が生じ易い。接点「バウンス」または「メーク」（ｍａｋｅ）によるアーク放電は、パドリング（接点溶融）（ｐｕｄｄｌｉｎｇ）を引き起こし、場合によっては接点が互いにくっついて離れない接点溶着を引き起こすこともある。通常、接点表面間の接続、メーク、切り離し、またはブレーク時に発生するこれらのアークを消すことは困難である。
リレーのアーク放電は、下記のような現象に起因する。接点の動作は、閉回路の「メーク」位置または開回路の「ブレーク」位置から開始される。これらの接点が互いに近づきはじめるか、あるいは離れ始めるとき、接点表面どうしの間隔は極めて小さい。従って、電界強度が非常に強く、電子はこれらの接点間のギャップを横断する方向に加速される。これによって電子なだれ効果が起こり、その結果ギャップ内で粒子がイオン化（電離）される。リレー接点を真空チェンバ内に保って、空気に触れないようにしても、やはりアーク放電は発生し得る。
空気充填環境においても、排気した（真空）環境中においても、連続アーク放電は起こり、大量の熱が発生して、接点材料を溶融させることがある。この高温のイオン化され易い材料は、接点が近づき続け、あるいは離れるとき、接点プラズマ（プラズマ）を生じる。すると、アーク柱が生じ始める。このアーク柱は、真空環境の場合は接点プラズマから生じ、空気充填環境の場合は接点プラズマとイオン化粒子から生じる。接点材料プラズマ及び／またはイオン化粒子は成長して、接点間に帯電粒子の連続状飛跡を形成し、その後アークが発生する。そのアークは、接点がくっつくか、あるいは接点が十分に離間すると、接点間の電界強度が接点材料の電子をイオン化するほど十分高くならず、最後には消える。
アーク放電が起こると、接点表面の材料が、実際に溶融するパドリングとして知られた現象が発生する場合がある。パドリングは、接点材料が溶け出した接点表面上の場所に、あるいは接点材料が粗面状に硬化したとき接点表面上にクレータを生じさせる。さらに、パドリングは、接点を溶着させて、分離しにくくすることもある。
溶着（ｗｅｌｄｉｎｇ）とは、接点間の溶融した接点材料の硬化によって微視的に、あるいはこれより肉視的に、接点どうしが接合することをいう。アーク放電、及びこれに伴うパドリングまたは接点の溶着は、リレー接点の劣化、絶縁破壊に至り、最終的にはリレー故障につながるので、極めて好ましくない。
直流接点リレーの真空中と空気中とにおける「活線開閉」の間の上記のような差異の他、真空中におけるリレーの「活線開閉」に関しては、下記の事項をも考慮すべきであろう。真空は、１）はるかに大きい離隔電圧絶縁能力を有するとともに、及び２）プラズマ形成が著しく少くなる。このようなプラズマ形成は、これに対応する、空気充填チェンバ（ｃｈａｍｂｅｒ）中のイオン化粒子の形成に比べて約８桁少ない。また、真空は、リレーの使用寿命を通して接触抵抗を増大させる汚染物質を除去し、酸化を引き起こし、接触抵抗を増大させるイオン化粒子を除去し、危険な環境においては爆発を防ぐとともに、接触抵抗の低さを犠牲にすることなく硬い接点材料の使用が可能となる。接点摩耗が少なくなることによって、リレー寿命が増大する。
真空または空気充填環境において、荷重をかけてリレー接点を効果的に接続しようとすると、接点が閉成時に「バウンス（跳ね返る）」ことがよくある。ここで、２つの接点を互いに接続することによって電気的接続をなすことを接点メークまたは「メーク」と称し、これらの接点を切り離すことまたは分離することを接点ブレークまたは「ブレーク」と称する。
接点「ブレーク」が望ましいときには常にリレー接点を互いに完全に切り離すことができるように、アーク放電、パドリング及び／または接点材料の間の溶着はすべてなくすことが必要である。
本発明の直流接触器型リレーの設計においては、真空チャンバを採用するなどにより空気を排除して粒子のイオン化を最小限に抑えることにより、またイオン化しにくい耐熱材料製の接点を用いることによって、イオン化粒子または接点プラズマの形成及び／または発生を少なくすることが可能である。また、接点ブレーク時には、アークを維持するのに必要な十分な量の接点プラズマ及びまたは／イオン化粒子がギャップ内に形成される前に接点ギャップを大きくすることができるように、接点ギャップはす速く大きくすることが望ましい。さらに、真空中では、開回路電圧に達するのに必要なギャップ距離が短くなるということも重要である。
アークを維持するのに必要な電圧を高くするために他の付加的手段を使用することも望ましい。例えば、永久磁石を用いて接点間の磁場（磁界）を変えることによって、アークを持続させるイオン化粒子または接点プラズマを保ちにくくすることが可能である。これによって、アークは消える。接点間の直線経路からアークをそらす当技術分野においては周知のアークシュートを用いてこの機能を強化してもよい。
また、リレー設計における真空技術を用いると、接触抵抗を低く保つために従来のように接点断面積を大きくする必要がないという点において、設計上相対立する要素が少なくなり、リレー性能が改善される。すなわち、単位面積当たりの接触抵抗が小さくなり、従って、リレーが小型化、軽量化される。さらに、真空は空気よりはるかにすぐれた絶縁体であるから、真空環境中においては、接点ギャップを大きくする必要がない。この特徴によっても、リレーの小型化が容易になる。
また、真空リレー装置を使用すると、可動接点に対する空気抵抗がないため、より高速で作動するアクチュエータが得られる。さらに、空気が存在しなければ、より効率的なアーマチュア（接極子）設計を行うことが可能である。上記の要素によってリレー装置の小型化・軽量化が達成される。アークは真空中では空気中よりも１００倍も速く移動するので、真空は迅速な消弧を促進する。この特徴も小型化に役立つ。
本発明のリレー装置は、ＣＤ２７０Ｖの電圧下で大きな電流を遮断することが可能である。これを可能にするためには、相対立する設計要素または特徴が関係して来る。このような大電流を遮断するリレーは、大きい接点ギャップが必要であり、そのためにどうしても、リレーは物理的な寸法及び重量とも大きくなりがちである。また、このようなリレーは、迅速に後退する接点が必要であり、それが接点重量を小さくすることを必要とする。これらのリレーによる電力消費を小さくするという面においては、接触抵抗をできるだけ小さくすることが望ましい。それには、接点断面積を大きくする必要があり、そのために接点の寸法及び重量が大きくなりがちであり、その分コイルの寸法及び重量も大きくなる。また、接触抵抗をできるだけ小さくするには、大きい接触力が必要であり、やはりコイルの寸法及び重量を大きくする必要がある。電力消費は、コイルの加熱をできるだけ少なくすることによっても小さくすることが可能である。それには、小さいアクチュエータコイルが必要であり、コイルが小型化、軽量化される。電力消費は、パドリングを発生させることによってもさらに小さくすることができる。それには、接点にかかるアクチュエータ力を大きくする必要があり、そのためにコイルの寸法及び重量が増大する。最後に、電力消費は、より小さい部品を使用することによって小さくすることができ、小さい部品を使用すれば、リレー装置やそのコンポーネントの小型化、軽量化が可能である。
リレーは、基本的には流れる電流によって励磁されるコイルから成る。コイルを流れる電流は電磁界（電磁場）を生じさせ、この電磁場が、少なくとも２つの電気導体または接点を互いに接続するようにアーマチュアを動かす。その結果、これらの導体によって開閉される電気回路が閉じ、所望の回路に電流が流れる。前述のアーク放電及びこれに付随する問題が発生するのは、これらの接点または導体の部分である。
アーク放電は、交流リレーの場合より直流リレーの方がより激しい。これは、交流信号が時間に対して正弦波状に周期的にかつゼロ点を通りながら変化し、それらのゼロ点で回路切断または「ブレーク」が行われることがあるためである。アーク放電、パドリング及び溶着の作用は、完全にこれらをなくすことはできないかもしれないが、適切な設計概念によって少なくすることは可能である。アーク放電、パドリングまたは溶着に付随する問題を解消あるいは軽減する１つの方法は、接点間の接続を断ちたいとき、あるいは分離（「ブレーク」）したいとき、そのブレーク動作期間中に相当大きな力を加えることである。このように力を加えて接点ブレークを行うやり方は、当技術分野においては「衝撃ブレーク」法として知られている。本発明は、この「衝撃ブレーク」を行なうのに、接点ブレーク前のアーマチュアシャフトの運動を利用するものである。
「衝撃ブレーク」法を用いた直流接触器型のリレーには、多様なものがある。本発明で用いる方法においては、可動アーマチュアの運動エネルギーを利用して、リレー装置の可動接点と固定接点との間の接続を「ブレーク」するのに必要な物理的力を得る。これは、接点間の接続を切り離し、接点間に溶着があればそれを破壊するような急激な衝撃力を用いて達成される。
本発明は、新規でかつ改良された「直線」衝撃ブレークリレーである。コイルの励磁及びその後の磁場の発生と同時に、アーマチュアとプランジャは、リレーの固定接点へ向かうような方向（直線方向）に駆動される。駆動力は、通常、固定子／アーマチュアアセンブリを結合する磁束により与えられ、それらの合力はアーマチュアを固定子の方へ移動させ、これによってアーマチュアに取り付けられたプランジャが起動される。アーマチュアまたはプランジャは、導体または可動接点を、導体または可動接点が１つまたは２つ以上の固定接点と接触してリレーにより開閉される電気回路を閉じるまで、通常、アーマチュアまたはプランジャ自身の運動方向と同じ（直線）方向に駆動する。この接点「メーク」と同時に、閉回路が形成され、動作状態となる。
コイルが励磁解除されると、アーマチュアまたはプランジャは、通常、中立点から偏倚させたばねによって上記と反対方向に駆動され、これによってアーマチュアまたはプランジャにより駆動される可動接点を固定接点から離間させることによって、接点間の接続を「ブレーク」し、電気回路を開く。
元の位置に復帰中のアーマチュアの力は、接点の「衝撃ブレーク」がアーマチュアの運動方向とそろった直線方向の力によって行われるように、接点に向けて直線方向に加えられる。
本発明の概要
本発明は、直線「衝撃ブレーク」法を用いて接点ブレークを行う直流接触器型のリレー装置を提供するものである。本発明のリレー装置は、コイルが励磁解除された開接点位置においては、ばねエレメントを用いてアーマチュアまたはプランジャがこれに取り付けられた可動接点を駆動して、固定接点に接触させるのを防止する。アーマチュアの一端部には、リレー構造のコア部のベースに配置されたプランジャが固着されている。キックオフばねを用いて、プランジャ及びアーマチュアを開接点状態に保つための偏倚力を得る。アーマチュアはシャフトから成り、シャフトには、アーマチュアまたはプランジャアセンブリの他のすべてのコンポーネントが取り付けられている。コアベースと反対側のアーマチュアシャフト端部には、アーマチュアシャフトの周りに回転可能な可動接点ディスクが取り付けられている。可動接点ディスクは円形で、２つの固定接点と接触して、これらの接点により開閉される電気回路を形成することができる。アーマチュアシャフトの周りには、オーバートラベルばねが移動可能に取り付けられており、このばねは、アーマチュアシャフトの適切な位置に回転可能に取り付けられたストップワッシャと、やはり可動接点ディスクに固定可能に結合されたディスクワッシャアセンブリとの間に配置されている。
可動接点ディスク及びこれに付属するワッシャもアーマチュアシャフトの周りに回転可能である。ストップワッシャと可動接点ディスク／ディスクワッシャアセンブリとの間に配置されたオーバートラベルばねは、圧縮すると自由に回転する。
リレーのコイルが励磁されると、コアのベース領域に配置されたプランジャは、キックオフばねの力に抗してコアセンター内に「引っ張られ」、これによってアーマチュアシャフトを駆動して、可動接点ディスクを固定接点と接触させる。接点が最初に互いに接触した後においても、アーマチュア及びプランジャは、リレーコア領域内のコアセンター近辺の最終目標位置に達するまで固定接点の方へ移動し続ける。従って、本発明のアーマチュア及びプランジャは可動接点ディスクより大きい運動の場を有する。このように、アーマチュア及びプランジャが、可動接点ディスクが固定接触子と接触した後、アーマチュアシャフトと共に移動し続けると、オーバートラベルばねが圧縮される。さらにオーバートラベルばねを圧縮することによって、アーマチュアシャフト及びその端部は、固定接点により拘束された状態にある可動接点とは独立に移動し続ける。オーバートラベルばねは、アーマチュアの移動が止まるまで圧縮され続ける。コイルの励磁解除と同時に、アーマチュア及びプランジャはコア領域から押し出され、元の位置へ戻る。キックオフばね及びオーバートラベルばねは、アーマチュア及びプランジャをコアベースへ引き戻すための偏倚力を作用させる。また、オーバートラベルばねは、十分に伸ばすことができ、これによりアーマチュアシャフトの端部を可動接点ディスクに強い力で衝突するまで可動接点ディスクの方へ引っ張って、十分な「衝撃ブレーク」力を与え、接点の接続をブレークするとともに、接点間に溶着がある場合はそれらの溶着を破壊する。
本発明のリレーは、真空チャンバ内に収容されるとともに、さらに、先端部に、可動接点ディスクとぴったり合わさる、あるいはぴったり接続されるよう設計された平坦な部分を有する球面状の固定接点を用いることによって、アーク放電、パドリング及び溶着を少なくするのに役立ついくつかの特徴を有する。可動接点ディスクの直径は、固定接点の球面の性質と共に、両者間のわずかな間隔で対向する部分の断面積ができるだけ小さくなるような特定の直径が選ばれ、これによってもアーク放電をさらに減少させ、プラズマ圧力を散失させることができる。可動接点ディスクは、固定接点との接触点を平坦にすべきである。さらに、固定接点は、溶融やパドリングに対する耐性を有するより、高強度の金属で形成される。固定接点の内側には、プラズマ及び／またはイオン化粒子の形成を阻止し、アーク放電を消すために、永久磁石が設けられる。
前述したように、アーク放電、パドリング、及び溶着は、接点の「メーク」及び「ブレーク」に依存するリレーにおいては、一般に起こりがちな現象である。このような現象は、可動接点ディスクにクレータを生じさせ、これが同じ部分に経時的に繰り返されると、ディスクの劣化につながり、あるいはディスクの完全なバーンスルー、すなわちディスクに焼損による貫通孔が生じる欠陥に至ることがある。
本発明は、アーク放電が可動接点ディスク表面上の異なる位置で発生し、ディスク表面の同じ場所で何回も繰り返されることがないように可動接点ディスクを回転させることによって、このクレータ形成の問題を著しく軽減したものである。そのために、本発明においては、圧縮と同時に回転させられるオーバートラベルばねの回転によって回転する可動接点ディスクが設けられる。このような回転は、一様でなく、不規則であるかも知れないが、その総合的効果としては、経時的にディスクを回転させて、アーク放電や溶着によって生じるクレータを可動接点ディスクの表面に沿って均等に分布させる。
さらに、本発明のリレーは、アーマチュアアセンブリを含むすべての可動部を真空環境中に置く。この非常に重要な特徴は、直線衝撃ブレークリレーのすべての可動部を真空中に置くものであり、真空外の可動部と真空中の可動部とを相互に接続する従来技術のベローズのような結合の弱い境界部品の使用を回避することができる。
従って、本発明の目的は、電気回路に対して接点を開閉するための直線「衝撃ブレーク」式直流接触器型リレーにおいて、逐次起動の都度回転する可動接点ディスクを用い、可動接点ディスク上で発生するアーク放電、クレータ形成、または溶融のような現象の致命的作用を均等に分布させるようにしたリレーを提供することにある。
本発明のもう一つの目的は、アーク放電の作用及びその影響を排除または軽減するよう、その接点の設計に関して最適の設計幾何学及び特性を用いた直線「衝撃ブレーク」式直流接触器型リレーを提供することにある。
本発明のもう一つの目的は、固定接点の内側に永久磁石を設けて、アーク放電の発生を少なくするようにした直線「衝撃ブレーク」式直流接触器型リレー装置を提供することにある。
本発明のもう一つの目的は、すべての可動部を真空中に置いた直線「衝撃ブレーク」式直流接触器型リレー装置を提供することにある。
本発明のこれらの及び他の目的及び利点は以下の図面との関連で示される以下の本発明の好適な実施態様の説明により明らかになるであろう。
【図面の簡単な説明】
図１は、開接点位置における本発明のリレー装置の側面図及び上面図である。
図２は、リレーコイルの励磁直前の開接点位置における本発明のリレーの詳細な側面図である。
図３は、アーマチュアが最終的にコアセンターに休止する前の初期接点メーク状態（中間接触状態）における本発明のリレーを示す。
図４は、最終接点「メーク」位置、すなわち閉接点位置における本発明のリレーを示す。
図５乃至７は、接点ブレークを行う際に、コイルの励磁解除に続いて本発明のリレー装置に逐次起こる一連の状態を示す。
図８は、可動接点ディスク及びその表示のクレータの上面図で、アーク放電及びその影響によって生じるクレータがディスク表面に円形状に示されている。
図９は、オーバートラベルばねが可動接点ディスクを回転させる機構を示す。
図１０は、オーバートラベルばねを圧縮する際これに作用する分力を示す説明図である。
図１１は、アーク放電を減少させるための固定接点及び可動接点の最適設計及び形状を示すための幾何学的設計の側面図である。
図１２Ａ、１２Ｂ及び１２Ｃは、可動接点ディスクと固定接点との間の接点接続を行うのに可能な代替設計をそれぞれ示す。
図１３Ａ及び図１３Ｂは、固定接点の内部キャビティに設けた永久磁石を使用して固定接点と可動接点ディスクとの間に発生するアーク放電を消し、あるいは最小にする作用をそれぞれ示す。
図１４は、本発明に従った密閉型リレー（ｓｅａｌｅｄ  ｒｅｌａｙ）の変形実施態様の上面図である。
図１５は、図１４に示されているリレーの側面立面図である。
図１６は、図１４及び１５のリレーの内部絶縁ハウジングの上面図である。
図１７は、図１４の１７−１７線に沿った段付き断面立面図である。
図１８は、図１４の１８−１８線に沿った断面立面図である。
図１９は、リレーが第１の極性で接続されている場合のアーク吹消しの概略図である。
図２０は、図１９に類似した図であり、反対の極性の接続のためのアーク吹消しを示している。
好適な実施態様の詳細な説明
図１は、本発明のリレー装置の側面図及び上面図を示す。図１に全体を符号１によって示すリレー装置は、ベース領域またはコアアセンブリ２、及び以下に説明するリレーの他の構成部分を収容するガラスまたはセラミック構造３よりなる。
本発明のリレー１は、排気することによって構造３内部が真空チェンバ１６を形成する。コアアセンブリ２は、さらに、コアセンター４、コアベース上部５、コア外壁６及びコアベース底部７よりなり、これらはすべて強磁性物質で形成されている。
ベースのコアセンター４の周りには、コアセンター４、コアベース上部５、コア外壁６及びコアベース底部７によって形成される中空キャビティ４０中にコイル２６が巻装されている。コイル２６は、好ましくは、１２〜１８ワットの電力容量を有する。コアセンター４内には、中空円筒状のアーマチュア移動キャビティ１３が軸方向に形成されており、これを貫通してアーマチュアアセンブリ８が設けられている。アーマチュアアセンブリ８は、アーマチュア移動キャビティ１３を貫通して真空チャンバ１６内部に延びるアーマチュアシャフト１０を有する。アーマチュアシャフト１０の一端部には、プランジャ９が固着されている。アーマチュアシャフト１０のプランジャ９の反対側の端部には、アーマチュアシャフト１０の直径より大きい直径を有する端子末端部（ｔｅｒｍｉｎａｌｅｎｄ  ｐｏｒｔｉｏｎ）１１が固定されている。
プランジャ９とコアセンター４の間にはギャップ１２が設けられている。ギャップ１２は、以下に説明するように、プランジャ９がリレー１の起動時に動くためのスペースになっている。アーマチュアシャフト１０は、アーマチュア移動キャビティ１３内を移動する。アーマチュア移動キャビティ１３内には、コイルばねよりなるキックオフばね１４が設けられ、プランジャ９側のその端部はクリップ１５によってアーマチュアシャフト１０に固定されている。キックオフばね１４のもう一方の端部は、図２に示すように、アーマチュア移動キャビティ１３の内部においてブッシング１７によりベースのコアセンター４に固定されている。アーマチュアシャフト１０の周りには、オーバートラベルばね１８が設けられ、ばね１８は、図２に示す位置にクリップ１９Ａによってアーマチュアシャフト１０に回転可能に永久取り付けされたストップワッシャ１９と可動接点ディスクワッシャ２０の間に配置されている。オーバートラベルのばね１８もコイルばねである。ストップワッシャ１９及び可動接点ディスクワッシャ２０は、アーマチュアシャフト１０の周りに自由に回転可能である。可動接点ディスク２１及びそのワッシャ２０は、どちらもアーマチュアシャフト１０の周りに自由に回転可能であり、自由に動くことができる。さらに、可動接点ディスク２１及びそのワッシャ２０は、アーマチュアシャフト１０に沿って端子末端部１１とストップワッシャ１９との間を移動可能であり、この運動はオーバートラベルばね１８によってのみ規制される。ストップワッシャ１９及び可動接点ディスクワッシャ２０は、どちらも、アーマチュアシャフト１０の周りに回転することができるように上記シャフト１０に緩く嵌合されている。オーバートラベルばね１８は、遊動自在であり、ストップワッシャ１９及び可動接点ディスクワッシャ２０のどちらにも永久取り付けされていない。従って、以下に説明するように、オーバートラベルばね１８は、圧縮されるとき、アーマチュアシャフト１０の周りに自由に回転することができる。さらに、ある瞬間、上述の構造に生じる固有の摩擦に応じて、オーバートラベルばね１８は、可動接点ディスクワッシャ２０及び可動接点ディスク２１またはストップワッシャ１９を回転させる。
図２に示すチェンバ１６の上端部（図の左側）には、固定接点２２が配置されており、この固定接点は中空円筒状をなして、その内部には永久磁石３０が設けられている。以下に説明するように、固定接点２２及び可動接点ディスク２１は、アーク放電を減少させるとともに、プラズマ圧力及びこれらに伴うパドリングや溶着のような効果を減少するために特別に採用された特殊な設計になっている。固定接点２２の内部に置かれる永久磁石３０は、好ましくは、円筒形の小さい希土類型の磁石を用いる。
本発明のリレー装置においては、真空チャンバ１６内部の可動部はもとより、プランジャ９、アーマチュアシャフト１０、初期状態においてプランジャ９とコアセンター４との間に存在するギャップ１２、アーマチュア移動キャビティ１３、キックオフばね１４、クリップ１５、及びブッシング１７を含むアーマチュアアセンブリ８はすべて真空中に置かれている。この非常に重要な特徴によれば、直線衝撃ブレークリレーのすべての可動部を真空中に置くことができ、真空外の可動部と真空中の可動部とを相互に接続する従来技術のベローズのような結合の弱い境界部品の使用を回避することができる。
前述したように、図２は、可動接点２１が固定接点２２と接触していない開成回路または接点ブレーク状態を示す。したがって、開回路状態が存在する。
ここでは、リレー装置１の動作を図２乃至７を参照しつつ説明する。図２において、コイル２６が通電によって励磁されると、矢印５０で示す方向の磁場２７が形成される。磁場２７は、プランジャ９にキックオフばね１４の偏倚力に打ち勝ってギャップ１２を閉じさせる方向に作用し、上記プランジャ９をコアセンター４の方へ移動させ始める。プランジャ９がこのように移動すると、キックオフばね１４は、一端部がアーマチュアシャフト１０に結合され、他端部がブッシング１７に結合されているため、圧縮される。従って、アーマチュアシャフト１０は、これに固着されたプランジャ９によって駆動されて、さらに真空チャンバ１６内へ移動する。アーマチュアシャフト１０の移動は可動接点ディスク２１が、図３に示すように、固定接点２２に接触する（接点「メーク」）際にも続けられる。その後、プランジャ９及びアーマチュアシャフト１０は、最初にプランジャ９とコアセンター４との間にあったギャップ１２が完全に閉じられるまで固定接点２２の方へ移動し続ける。このプランジャ９／アーマチュアシャフト１０の移動が続く間、可動接点ディスク２１は固定接点２２に接触した状態に保たれる。従って、オーバートラベルばね１８は、アーマチュアシャフト１０が移動し続ける間、ストップワッシャ１９と可動接点ディスクワッシャ２０との間で圧縮されて、接点間の接触を維持する一方、固定接点２２及び可動接点ディスク２１に対する損傷を防止する。オーバートラベルばね１８が圧縮され続けると、アーマチュアシャフト１０の端部に取り付けられた端子末端部１１は可動接点ディスク２１から離れて図３に示すように、固定接点２２の間の真空チェンバ１６の開放空間中に伸び入る。プランジャ９が、図４に示すように、コアセンター４との間のギャップ１２を完全に閉じると、キックオフばね１４及びオーバートラベルばね１８は圧縮される。それゆえに、コイル２６が励磁されると、上に述べるように、キックオフばね１４及びオーバートラベルばね１８を圧縮して接点「メーク」状態を達成するのに十分な大きさの電磁力が発生する。
次に、図５乃至７を参照して、本発明のリレー装置の動作を、接点切り離し、または接点「ブレーク」を行う場合について説明する。コイル２６が励磁解除されると、図５に示すように、磁束場２７が衰微し、プランジャ９に作用する磁場がなくなる。磁束場２７が存在しないと、プランジャ９及びアーマチュアシャフト１０は、キックオフばね１４及びオーバートラベルばね１８の偏倚力に屈して、図示のように、上記と反対の方向、すなわち真空チェンバ１６及び固定接点２２から遠ざかる方向に移動し始める。従って、プランジャ９は、コアセンター４から離れる方向に移動し、これによってプランジャ９とコアセンター４との間にギャップ１２が再び形成される。その結果、キックオフばね１４が急速に伸びることによって、アーマチュアシャフト１０及びプランジャ９を上記方向に押しやる。このようにアーマチュアシャフト１０が移動し続けるとき、オーバートラベルばね１８は、急速に伸びて、アーマチュアシャフト１０の端部に取り付けられた端子末端部１１を可動接点ディスク２１に向けて十分な力で引き寄せ、強制的にこれに接触させる。可動接点ディスク２１に対するアーマチュアシャフト１０の相対運動によって、端子末端部１１は可動接点ディスク２１に強い力で強制的に衝突させられ、これによって図６に示すようなディスク２１と固定接点２２と接触が「ブレーク」される。この動作は、これらの接点を切り離すとともに、接点間に溶着があれば、破壊する。このように、可動接点ディスク２１への端子末端部１１の衝突は、アーマチュアシャフト１０の移動方向と同じ直線方向の「衝撃ブレーク」効果を生じさせる。アーマチュアシャフト１０及びプランジャ９は、図７に示すように、プランジャ９がリレーのコアアセンブリ２中に移動端に達して、リレー装置１がその開接点位置となるまで移動し続ける。
前に説明したように、アーク放電、パドリング及び溶着は、本発明の直流接触器型リレーのような直流リレーにおいては大きな問題である。上に述べたように、可動接点ディスク２１及び固定接点２２は、本発明のリレーがほとんど常にその中で用いられることが覆い「活線開閉」環境中で「メーク」または「ブレーク」されると、パドリングや溶着の原因となるアーク放電が発生する。その結果、接点、特に可動接点ディスク２１の表面にクレータが生じることがある。これらのクレータは、電気的接続（接点「メーク」）を不十分にし、可動接点ディスク２１の同じ部分で何度も発生するままにしておくと、接点劣化につながり、あるいは全面的な接点バーンスルーにより可動接点ディスク２１に穴が生じることもある。
本発明は、可動接点ディスク２１の表面の同じ部分がいつも固定接点２２に接触するのを効果的に防止するようにアーマチュアシャフト１０の周りに回転する可動接点ディスク２１を設けることによって、アーク放電、パドリング及び溶着の効果を減少しようとするものである。そのような構成のための好ましい実施態様について、以下説明する。
可動接点ディスク２１の表面上のクレータ形成については、図８に示されている。本発明の好適な実施態様において、可動接点ディスク２１の直径は、好ましくは１．１２５インチである。固定接点２２の接触面を好ましくは、０．０７５インチとすると（この値の選択については以下により詳細に説明する）、可動接点ディスク２１の中心の周りに直径１．０００インチとなるように設計により選択された円周方向に対称状の部分に沿って、可動接点ディスク２１の表面上に０．０５０乃至０．１００インチの範囲の直径を有するクレータが形成される。後述するように、固定接点２２の表面は、好ましくは互いに１．０００インチ離間させる。これらのクレータは、本発明の可動接点ディスク２１を用いることによって、同じ点に繰り返し発生するのを防ぐことができ、これによって「メーク」に電気的接触が不十分になったり、より重大な場合には完全な接点バーンスルーに至ったりするのを防止することが可能である。これらのクレータは、可動接点ディスク２１が１回転する間に互いに重なることもある。可動接点ディスク２１の直径が１．１２５インチで、クレータ円の直径が１．０００インチの場合、クレータ円の円周は約３．０００インチである。その結果、可動接点ディスク２１の接触面上には、多少なりとも互いに重なる４０もの完全なクレータが形成され得る。アーク放電は、回転する可動接点ディスク２１を用いることによって、可動接点ディスク２１上の同じ点では発生しなくなり、従って、可動接点ディスク２１の使用寿命をより長くすることが達成できる。
次に、図９を参照しつつ可動接点ディスク２１を回転させる機構についてさらに詳細に説明する。図９には、アーマチュアシャフト１０、及びその可動接点ディスク２１に近い側の端部に固着された端子末端部１１が示されている。可動接点ディスクワッシャ２０は、可動接点ディスク２１に接しているが、これに固定されていない。ストップワッシャ１９も、アーマチュアシャフト１０の所定位置に取り付けられており、シャフト１０の周りに自由に回転可能である。オーバートラベルばね１８は、図９に示すように、アーマチュアシャフト１０の周りに、そしてストップワッシャ１９と可動接点ディスクワッシャ２０との間に配置されている。上に述べたように、可動接点ディスク２１及び可動接点ディスクワッシャ２０は互いに固定されており、どちらもアーマチュアシャフト１０に沿って自由に移動可能であり、かつシャフト１０の周りに自由に回転可能である。ストップワッシャ１９は、クリップ１９Ａによってアーマチュアシャフト１０の所定位置に取り付けられ、やはりアーマチュアシャフト１０の周りに自由に回転可能である。オーバートラベルばね１８は、遊動自在のコイルばねであり、ストップワッシャ１９にも可動接点ディスクワッシャ２０にも全く結合されていない。従って、オーバートラベルばね１８は、２つのワッシャ１９と２０の間でアーマチュアシャフト１０の周りに自由に回転することができる。
オーバートラベルばね１８として用いたようなコイルばねは、ばね自体が圧縮されるにつれて、端部が回転する性質がある。このばね回転の現象は図１０中の力の作用図を用いて説明することができる。図１０には、オーバートラベルばね１８の上端の部分が示されている。ここで、可動接点ディスク２１から加えられる下向きの力Ｆは、オーバートラベルばね１８の上端に一様に加えられる。可動接点ディスク２１からこの力Ｆは、ばね１８を強制的に圧縮する。このようにばねを圧縮する際、オーバートラベルばね１８の端部３８に近いコイル部分４０は、図１０にｆ方向の矢印で示すように、コイル部分４０の方向の力ｆを生じる。
図１０中の力の作用図に示すように、オーバートラベルばね１８上の力ｆは、垂直なｆｙ成分と水平なｆｘ成分に分解される。その結果、オーバートラベルばね１８のコイル部分４０及び、ひいては、オーバートラベルばね１８自体に水平力ｆｘが作用し、この水平力が、オーバートラベルばね１８が圧縮されるたびに、オーバートラベルばね１８をアーマチュアシャフト１０の周りに回転させようとする。
図９の実施例においては、可動接点ディスク２１と付随のディスクワッシャ２０及びストップワッシャ１９は、すべてアーマチュアシャフト１０の周りにどちらの向きにも回転することができる。従って、このばねは、圧縮されるたびに、水平方向に回転することができ、可動接点ディスクワッシャ２０を介して可動接点ディスク２１を回転させるか、またはストップワッシャ１９を回転させる。ワッシャ１９または２０のどちらがオーバートラベルばね１８によって回転させられるかは、各圧縮時の摩擦の性質及び発生の様子によって決まる。オーバートラベルばね１８が可動接点ディスクワッシャ２０を回転させると、可動接点ディスク２１が回転する。これに対して、ストップワッシャ１９が回転すると、可動接点ディスク２１は回転しないことがある。
ワッシャ１９または２０のどちらがオーバートラベルばね１８によって回転させられるかは不確定であるから、可動接点ディスク２１の回転は、一様でもなければ、安定したものでもなく、オーバートラベルばね１８の回転が不安定なために、むしろ不規則である。オーバートラベルばね１８の回転は常にディスクワッシャ２０に作用を及ぼす訳ではなく、ストップワッシャ１９に対しても作用するということ、またアーマチュアシャフト１０自体がどちらの方向にも独立に回転するということも、可動接点ディスク２１の回転に影響を及ぼすと思われる。また、ディスクの不規則な回転は、ワッシャ２０及び１９が各々の位置でスリップすることや、アーマチュアシャフト１０が両方向に回転することが可能であること、さらには、これにワッシャのスリップの効果が加わる場合もあることなどの結果として生じる。
このような可動接点ディスク２１の回転は、不規則で、一様ではないが、経時的に平均化すると有用な回転となる。ばね圧縮５００〜５０００回またはサイクル毎に可動接点ディスク２１を１回転させることができるということが確認されている。
また、ばね圧縮約５０，０００回または５０，０００サイクル後に、可動接点ディスク２１の回転は、それ自体が平均化されて、可動接点ディスク２１の表面上に形成されるクレータリングは、可動接点ディスク２１の接触面部全体にわたって均等に分布するようになるということも確認されている。その結果、より良好な電気的接触が確保されるとともに、リレーの寿命を伸ばすことができる。
回転する可動接点ディスク２１を利用することに加えて、本発明のリレー１は、さらにアーク放電を減少させ、プラズマ圧力及びそれらの劣化作用を減少する設計面の改良を利用するものである。これらの設計面の改良としては、固定接点２２として先端部に平坦な部分を有する球形シェル状の端部が形成された導体を使用すること、接点表面の溶融が少なく、従ってプラズマ生成を少なくすることができるタングステンまたはモリブデンのような硬質の金属で形成された固定接点２２を用いること、わずかな距離だけしか離間していない接点表面部分を小さくするような長さ及び形状を有する可動接点ディスク２１を用いること、固定接点と可動接点の間に生じ得るアーク柱を消弧するために、固定接点２２の内部に設けた永久磁石３０を利用すること、がある。
図１１は、固定接点２２及び可動接点ディスク２１の好適な構造を側方から見た図である。これらの接点は、リレー１の真空チャンバ１６内における開接点状態または接点「ブレーク」状態として示されている。固定接点２２は、端部の形状を好ましくは球形とし、好適な実施態様の場合、直径が０．４２０インチ、端部の半径Ｒが０．２１０インチとなるように設計される。固定接点２２は、図１１に示すように、先端部の平坦な部分Ａで可動接点ディスク２１と接触する。固定接点２２の先端部の接触位置に平坦部分Ａを設けるとともに、この部分における可動接点ディスク２１の表面を平坦にすることによって、平坦な表面接触部を確保することができる。その結果、「メーク」時の接点接続を改善することができ、従って、「メーク」及び「ブレーク」時に発生するアーク放電をより小さくすることができる。固定接点２２の先端部の平坦部分Ａは、直径０．０５０インチ以上、０．１００インチ以下とすべきである。この実施例の場合、先端部の平坦部分Ａは、Ｋ直径０．０７５インチとすることが好ましい。それは、表面接触部の面積が小さ過ぎると、接点は電気的接続操作を正しく行うことができないことがあるということに留意すべきであろう。しかしながら、接触面が大き過ぎると、固定接点２２と可動接点ディスク２１の幾何学的特徴が２枚の平らなプレートの特徴と極めて近似し、そのために、接点間により多くのアーク放電が発生し易く、消弧しにくくなる場合がある。
２つの固定接点２２の先端部の平坦部分Ａの中心は、互いに１．０００インチ離間させることが好ましい。このことは、可動接点ディスク２１上には、直径１．０００インチの円形状にクレータが生じる理由の説明ともなる。前に述べたように、本発明においては、真空チャンバ１６を用いるにもかかわらず、接点２１と２２の間の「活線開閉」から接点プラズマが生じる。接触面積をより大きくすることによって、接点間のギャップ中にはより多くのプラズマを形成することができ、このようなプラズマは、これより生じるアーク放電、パドリング及び溶着から前述のような損傷が発生する前に消散させることがより困難になる。従って、可能な限り（すなわち十分な大きさの接触面を確保しつつ）接点間でわずかな距離だけしか離間していない対向する接点表面部分の面積を小さくして、「活線開閉」時のプラズマ及びプラズマ圧力の消散を可能にすることが好ましい。
可能接点２２の球形端部の半径Ｒは、最大のプラズマ消散効果が得られるように、可能接点２２の全半径とすべきである。この端部の半径より小さい半径（すなわち、本発明以外の場合は、矩形または円筒形の固定接点の角隅部をわずかに丸める）では、平坦な可動接点ディスク２１と平行な平端面部が過大になり、一方、端部の半径をより小さくすると、固定接点の端部は、曲率がほんのわずかな場合もあるので、平坦なプレート接点に近くなる。
接点２１と２２のわずかな距離しか離間していない対向部分の面積を小さくするためには、可動接点ディスク２１について、やはり図１１に示すような特別な設計上の考慮が払われている。図示のように、可動接点ディスク２１は、０．０５０インチの厚さで、かつ断面端部の半径ｒが０．０２５インチであり、これによっても対向状の平坦な接点表面が最小限になる。
可動接点ディスク２１が可能接点２２の先端部の平坦部分Ａと重なり合う距離も重要である。図１２において、可動接点ディスク２１の平坦な表面と固定接点２２の先端部の平坦部分Ａとが重なる距離Ｘは、図１２Ａに示すように、可動接点が平坦部分Ａとかろうじて最小限に重なる状態と、図１２Ｂに示すように、可動接点の全厚部分の端部からちょうど平坦部分Ａの長さの部分が重なる状態との間の距離でなければならない。
図１２Ａの構造は、適切な場合もあるが、可動接点ディスク２１の全直径厚さ部分の端部からちょうど固定接点２２の端部の平坦部分Ａの長さに等しい部分が平坦部分Ａと重なる図１２Ｃの構造で得られるような最適の結果は得られない。図１２Ａの構造では図１２Ｃの構造と同様の最適結果を得ることができない理由は、図１２Ａの場合は、固定接点２２の端部の平坦部分Ａが可動接点ディスク２１の表面と完全には接触しないからである。むしろ、アーク放電やこれに付随する作用を誘起するようなギャップまたは空間が形成される。図１２Ｂの構造は、可動接点ディスク２１の過大な部分が固定接点２２の端部の平坦部分Ａを越えて外側に延びているので、最適ではない。この図１２Ｂの構造は、固定接点と可動接点の表面が互いに接触していないこれらの接点間の図の右側の空間でアーク放電が起こり、プラズマ消散効果はより低くなる。
本発明においてアーク放電及び溶着をさらに減少させるためには、固定接点２２を、硬質金属であり、従って「活線開閉」時にパドリングや溶融を起こしにくいタングステンやモリブデンのような金属で形成することが好ましい。こうすることによって、プラズマ生成が少なくなり、従って、アーク放電も減少する。
次に、図１３Ａに示す固定接点２２及び可動接点ディスク２１によって、本発明のもう一つの特徴を説明する。
リレー設計の技術分野において周知のように、リレー接点にある程度近接させて永久磁石を配置すると、接点の周囲の環境が乱されるため、アーク放電を消し、従って、その劣化作用を減少するのに役立つ。本発明におけるこれらの磁石は、大きい単位容積電界強度を発生する希土類型のできるだけ小形の磁石とすることが望ましい。本発明においては、磁石は、アーク崩壊用の強い磁束がアーク放電が発生する場所のすぐ近くに生じるように、円筒状の固定接点２２の中に配置される。また、永久磁石３０は、完全に固定接点２２の内部に置くことによって、アーク放電による損傷から十分保護することができる。
図１３Ａには、固定接点２２の中の永久磁石３０の配置が示されている。永久磁石３０は、その磁極の１つが固定接点２２の端部の平坦部分Ａの近傍に来るように垂直方向に配置されている。永久磁石３０を適切に配置すると、磁石の周辺に磁場が発生し、さらに接点２１と２２との間の領域中に延びる。発生する磁力線はなるべく可動接点ディスク２１に平行、従って、起こり得るアークに対して垂直であることが最適であるが、そのような設計では、図１３Ｂに示すように、永久磁石３０内で固定接点２２を水平配置することが必要になる。しかしながら、この配置は、固定接点２２内の磁石の取り付け場所が、磁石３０を、図１３Ｂに示すように、水平に配置することができなければ、物理的に不可能な場合もある。磁石３０を図１３Ａに示すように適切に配置すると、すべての磁力線が可動接点ディスク２１に平行、あるいは潜在的アークに対して垂直にならなくとも、アーク放電をある程度消すことが可能である。ここで最も重要なのは、リレーの物理的寸法及び用いる永久磁石３０の特性に応じて磁石３０を図１３Ａに示すように配置すると、可動接点ディスク２１と平行で、潜在的アーク放電に対して垂直な十分な磁束が得られない場合、アーク放電が強められる場合もあるということである。従って、図１３Ａの設計は、それほど好ましくはないが、いくつかの場合には用途があるため、本願の一部として組み入れてある。
上に述べたように、図１３Ｂには、固定接点２２内の永久磁石３０を最高度に利用する実施態様が示されている。図１３Ｂにおいては、磁石３０は、その磁極の両方共が固定接点２２の最も近い側壁に近接して置かれるよう、水平方向に配置されている。この構成においては、より多くの磁束線が可動接点ディスク２１と平行になり、従って、潜在的なアークに対して垂直に通る。そのため、図１３Ｂの構成における潜在的なアーク放電は、いっそう効果的に消弧される。従って、物理的寸法上の制約が許すならば、図１３Ｂの構成が望ましい。
図１４〜１８は、本発明の密閉型リレー５１の現在好まれている１つの変形実施態様を示している。上述のリレー１と共通して、リレー５１は、真空リレー又はスイッチとして作動するべく排気されてもよいし、又は排気され水素（好ましくは窒素と混合されたもの）又はヘキサフッ化硫黄といった従来の非導電性ガスが充てんされてもよい密封された装置である。リレー５１は交流又は直流のいずれかを切換えるのに適しているが、すでに記述されているような、接点の表面のアーク抑制及び保護についてのより厳しい必要条件を示す高圧直流の利用分野において特に有用である。リレー１で使用されているコイル、コア及び電機子のアセンブリはリレー５１において同様に有用であり、したがってこれらの構成要素についての記述を反覆する必要はない。
リレー１とリレー５１を区別しているのは、以下のような特徴である：
ａ．固定接点の内部カプセル封じ部分は、回路閉鎖表面をより近づけて移動させるべく成形されており、小さくなったサイズのセラミックスハウジングが相対する平坦な側面部分を有している。
ｂ．アーク抑制磁石はハウジングサイズを増大することなく接点閉鎖表面で強い磁界を提供するため、固定接点にすぐ隣接してセラミックスハウジングの平坦な外部側面に対して位置づけされている。
ｃ．接点は、閉鎖されたスイッチを通しての直流電流の方向と無関係に有効な磁気アーク抑制を提供するような形でオフセットされている。
ｄ．スイッチを短絡させうる端子の間の（接触破断性アーク放電から生じる）金属粒子によるメッキを最小限におさえる誘電シールドとして作用するべく、固定端子の内部部分の上及びその間に、絶縁バッフルが具備されている。
図１４〜１５は、それぞれリレー５１の外部プラスチックハウジング５２の上面及び側面図である。ハウジングの対角線方向に相対するコーナーには取りつけ用ボルト穴５３が具備され、（リレー１のコイル２６に対応する）リレーコイルに充電するための電源に結合するため第３のコーナーにはコネクタ５４が取りつけられている。ねじ込みソケット５７付きの定置型又は固定接点５６の対の外側端部はハウジング５２の上面を通って延びている。接点５６の長手方向軸は、図１６の上面図を通して中央平面５８との関係において一定の角度Ａ（標準的には約２４度）だけオフセットされている。好ましくは、接点にボルト締めされている外部高圧ケーブル端子又は耳（図示せず）を互いから絶縁するよう、接点の間にハウジング上部表面から上向きに誘電性安全用分割壁５９が延びている。
図１６〜１８は、高真空まで排気してもよいし、あるいはまた好ましくはポンプで減圧させ、水素・窒素混合物といったような誘電性ガスを絶対１気圧以上の圧力まで充てんすることもできる１つの空間６１を封入するべく、リレーの低い方のコイル封入本体に対して密封されている好ましくはセラミックス製の絶縁性内部ハウジング６０を示している。固定接点５６が、ハウジング６０の上部壁６２を通して延び、ろう付けされたKovarリング６３により上部壁に対し密閉されしっかりと固定されている。
各々の固定接点５６の主要本体は円筒形であるが、各接点の内側端部は、内向きにテーパーがかかっており、リレー１の接点ディスク２１に対応するディスク形の可動接点とかみ合う円形の平坦な接点チップ（図１６）を構成するべく面取りされている。接点チップ６５はかくして、リレー１の固定接点表面に比べて互いにより近づくことになり、直径がより小さい可動接点の使用が可能となる。
セラミックスハウジングの上部壁６２は、固定接点５６の内部部分が中に延びている一対の円筒形リセス６７を構成する。接点本体の円筒形部分のまわりでリセス６７により構成されている環状空間内の固定接点の各々の上に、１つの誘電性セラミックスリング６８が取りつけられている。リング６８は、各々の接点本体内に形成された一対の離隔した環状溝７０の中に収まっている一対の金属製スナップリング６９により所定の位置に固定されている。固定接点は、好ましくは、ＧＬ１ＤＣＯＰという商標でSCM Metals社から市販されている分散強化型銅−アルミナ材料である酸素を含まない高導電率の銅でできている。
図１４〜１６に示されている通り、セラミックス内部ハウジング６０の相対する側でかみ合う平坦な表面７３に対して、一対の棒磁石７２が接着固定されており、各々の磁石は、ハウジング内の固定接点のうちの１つにすぐ隣接して位置づけされている。磁石の内部表面及びかみ合う平坦な表面７３は中心線６０に対して平行で、中心線の相対する側から等しく間隔取りされている。
これらの磁石の磁界のアーク抑制特性についてはすでに記述されている。直流スイッチ又は接触器として使用された場合のリレーの１つの極性の接続においては、磁界のアーク吹消し効果はセラミックスハウジング６０の内部側壁に向かって外向きに作用する（図１９）。反対の極性の接続については、吹消し効果は、内側に向いて方向づけされるか（図２０）、固定接点がオフセットして位置づけされていることにより、この効果が１つの接点から第２の接点に向かって誘導され、有効なアーク抑制と干渉することになることがないようになっている。
以上、本発明をその好適な実施態様により詳細に説明したが、上記の説明は、単に本発明の例示説明のためのものであり、本発明に対し何ら制限的な意味を有するものではないということは理解できよう。従って、本発明は、本発明により教示される原理の範囲及び精神に包括されるあらゆる修正、変更あるいは変形を含むものとする。
【図１】
0003733537.tif 000002
【図２】
0003733537.tif 000003
【図３】
0003733537.tif 000004
【図４】
0003733537.tif 000005
【図５】
0003733537.tif 000006
【図６】
0003733537.tif 000007
【図７】
0003733537.tif 000008
【図８】
0003733537.tif 000009
【図９】
0003733537.tif 000010
【図１０】
0003733537.tif 000011
【図１１】
0003733537.tif 000012
【図１２Ａ】
0003733537.tif 000013
【図１２Ｂ】
0003733537.tif 000014
【図１２Ｃ】
0003733537.tif 000015
【図１３Ａ】
0003733537.tif 000016
【図１３Ｂ】
0003733537.tif 000017
【図１４】
0003733537.tif 000018
【図１５】
0003733537.tif 000019
【図１６】
0003733537.tif 000020
【図１７】
0003733537.tif 000021
【図１８】
0003733537.tif 000022
【図１９】
0003733537.tif 000023
【図２０】
0003733537.tif 000024